(57)【特許請求の範囲】
【請求項１】
外側空間と内側空間とを隔てる壁と、
前記壁に固定された固定スラブと、
前記壁に対して鉛直方向へ可動自在に取り付けられ、前記固定スラブと対向配置される可動スラブと、
前記可動スラブを鉛直方向へ可動させる昇降装置と、
前記可動スラブの空側に対向配置されて前記可動スラブとともに鉛直方向に可動する可動屋根と、
を備え、
前記昇降装置を介して前記可動スラブおよび前記可動屋根を鉛直方向へ可動させ、前記固定スラブから前記可動スラブまでの空間の空間高さを調整する
ことを特徴とする空間高調整構造体。
【請求項２】
前記可動屋根は、前記可動スラブに対して支持脚を介して一体的に取り付けられている
ことを特徴とする請求項１に記載の空間高調整構造体。
【請求項３】
前記固定スラブと前記可動スラブとの間を前記鉛直方向に沿って仕切り、同一の空間高さでなる複数の空間を形成する仕切壁と
を更に備えることを特徴とする請求項１または２に記載の空間高調整構造体。
【請求項４】
前記固定スラブと対向し前記固定スラブから離間した位置に取り付けられた固定スラブ側の断熱材と、
前記可動スラブと対向し前記可動スラブから離間した位置に取り付けられた可動スラブ側の断熱材と
を更に備えることを特徴とする請求項１〜３のいずれか一項に記載の空間高調整構造体。
【請求項５】
前記複数の空間を同一の環境に揃えるため、当該複数の空間をそれぞれ囲うように配置された複数の付室と
を更に備えることを特徴とする請求項３に記載の空間高調整構造体。
【請求項６】
外側空間と内側空間とを隔てる壁と、前記壁に固定された固定スラブと、前記壁に対して鉛直方向へ可動自在に取り付けられ、前記固定スラブと対向配置される可動スラブと、前記可動スラブを鉛直方向へ可動させる昇降装置と、前記可動スラブの空側に対向配置されて前記可動スラブとともに鉛直方向に可動する可動屋根と、を備え、前記昇降装置を介して前記可動スラブを鉛直方向へ可動させ、前記固定スラブから前記可動スラブまでの空間の空間高さを調整する空間高調整構造体からなることを特徴とする実験施設。
【請求項７】
外側空間と内側空間とを隔てる壁に固定された固定スラブに対して、前記固定スラブに対向配置される可動スラブと前記可動スラブの空側に対向配置されて前記可動スラブとともに鉛直方向に可動する可動屋根とを昇降装置により前記壁に沿って鉛直方向へ可動させ、固定スラブから前記可動スラブまでの空間の空間高さを調整することを特徴とする空間高調整方法。
【発明の詳細な説明】
【技術分野】
【０００１】
本発明は、空間高調整構造体、実験施設および空間高調整方法に関し、特に、実際の建物を模した実験施設における複数の空間の空間高さを調整可能に構築する空間高調整構造体、空間高調整構造体からなる実験施設、および、その空間の空間高さを調整する空間高調整方法に関する。
【背景技術】
【０００２】
従来、建設会社等においては、建物における居室等の複数の室内空間に対する室内環境特性、空調性能、省エネ性能等を調べるために、空間毎に条件を変えながら比較実験を行っている。そのため建設会社は、実際に用地を確保し、その用地に実際の建物に近似した実験施設を建設し、その建設した実験施設における単数もしくは複数の室内空間（以下、これを「実験空間」ともいう。）を用いて各種の比較実験を行っていた。
【０００３】
また、従来の実験施設では、現在の実験に用いられている実験空間の空間高さに対して、次の実験に用いられる実験空間の空間高さがそれまでとは異なる場合、例えば実験空間の天井高さが異なる場合には、その実験空間をそのまま使用することができない。そのため、現在の実験施設を解体して新たな実験施設を建設し直さなければならなかった。
【０００４】
なお、従来、モータ駆動による吊りワイヤで可動床の昇降を行い、天井と床との間の上下空間においてスペースを可変とする可動床装置が提案されている（例えば、特許文献１参照。）。
【先行技術文献】
【特許文献】
【０００５】
【特許文献１】特開２０００−２４８６８０号公報
【発明の概要】
【発明が解決しようとする課題】
【０００６】
上述したような従来の実験施設においては、実験用の簡易的な構造であるため、断熱材により実験空間が全て囲まれて構成されていることがあり、そのような場合、コンクリートの床スラブおよび天井スラブのような蓄熱体の影響が実験空間に及び難い環境となっている。
【０００７】
実際の建物では、実験空間の鉛直上下方向に床スラブおよび天井スラブのようなコンクリートの蓄熱体が存在し、その蓄熱体の室内空間に与える熱的影響が大きい。したがって、蓄熱体の熱的影響を考慮していない実験施設の実験空間を用いて比較実験を行ったとしても、実際の建物を想定した実験結果として扱うことはできなかった。
【０００８】
さらに、実際の建物では、居室の上部に存在する上部非空調空間や下部に存在する下部非空調空間等の付室が設けられているのに対し、実験施設の躯体では必ずしも付室を忠実には再現しておらず、実験空間の室内環境と実際の建物の室内環境とが乖離していた。すなわち、実験施設では、実験空間が断熱材で囲まれているような躯体の影響が無視された構造であるため、気象変動に対する空調応答性が極端によく、実際には躯体熱容量により生じる時間遅れを含めた空調応答性を実験空間において再現できていなかった。
【０００９】
また、特許文献１の可動床装置では、可動床の昇降を行うことにより、天井と床との間の上下空間においてスペースを可変とすることができるが、鋼製、木製等の可動床のみを可動させ、床スラブおよび天井スラブについては固定されたままである。このため、床スラブから可動床が大きく離れた場合、天井と可動床との間の空間に対して床スラブの熱的影響が及ばなくなり、実際の建物と同等の正確な比較実験を行うことができないという問題があった。
【００１０】
本発明は、上記の課題に鑑みなされたものであり、その目的は、空間高さを変更する必要が生じた場合であっても、蓄熱体であるスラブの熱的影響を考慮した実際の建物と同等の比較実験を行うための準備を容易に実行し得る空間高調整構造体、実験施設および空間高調整方法を提供することである。
【課題を解決するための手段】
【００１１】
上記目的を達成するために、本発明の空間高調整構造体は、外側空間と内側空間とを隔てる壁と、前記壁に固定された固定スラブと、前記壁に対して鉛直方向へ可動自在に取り付けられ、前記固定スラブと対向配置される可動スラブと、前記可動スラブを鉛直方向へ可動させる昇降装置とを備え、前記昇降装置を介して前記可動スラブを鉛直方向へ可動させ、前記固定スラブから前記可動スラブまでの空間の空間高さを調整することを特徴とする。
【００１２】
本発明においては、前記固定スラブと前記可動スラブとの間を前記鉛直方向に沿って仕切り、同一の空間高さでなる複数の空間を形成する仕切壁とを更に備えるようにしてもよい。
【００１３】
本発明においては、前記固定スラブと対向し前記固定スラブから離間した位置に取り付けられた固定スラブ側の断熱材と、前記可動スラブと対向し前記可動スラブから離間した位置に取り付けられた可動スラブ側の断熱材とを更に備えるようにしてもよい。
【００１４】
本発明においては、前記複数の空間を同一の環境に揃えるため、当該複数の空間をそれぞれ囲うように配置された複数の付室を更に備えるようにしてもよい。
【００１５】
本発明の実験施設は、外側空間と内側空間とを隔てる壁と、前記壁に固定された固定スラブと、前記壁に対して鉛直方向へ可動自在に取り付けられ、前記固定スラブと対向配置される可動スラブと、前記可動スラブを鉛直方向へ可動させる昇降装置とを備え、前記昇降装置を介して前記可動スラブを鉛直方向へ可動させ、前記固定スラブから前記可動スラブまでの空間の空間高さを調整する空間高調整構造体からなるものである。
【００１６】
本発明の空間高調整方法は、外側空間と内側空間とを隔てる壁に固定された固定スラブに対して、前記固定スラブと対向配置される可動スラブを昇降装置により前記壁に沿って鉛直方向へ可動させ、前記固定スラブから前記可動スラブまでの空間の空間高さを調整することを特徴とする。
【発明の効果】
【００１７】
本発明によれば、空間高さを変更する必要が生じた場合であっても、蓄熱体であるスラブの熱的影響を考慮した実際の建物と同等の比較実験を行うための準備を容易に実行することができる。
【図面の簡単な説明】
【００１８】
【図１】本発明の実施の形態に係る空間高調整構造体（事務室モード）の構成を示す、図２のII−II線で切断した場合の断面図である。
【図２】本発明の実施の形態に係る空間高調整構造体（事務室モード）の構成を示す、図１のＩ−Ｉ線で切断した場合の平面図である。
【図３】本発明の実施の形態に係る空間高調整構造体（事務室モード）の分割モジュールを用いた実験空間を部分的に示す拡大断面図である。
【図４】本発明の実施の形態に係る空間高調整構造体（クリーンルームモード）の構成を示す断面図である。
【図５】本発明の他の実施の形態に係る空間高調整構造体において空間高さを調整する電気的構成を示す略線的ブロック図である。
【図６】本発明の他の実施の形態に係る空間高調整構造体において空間高さを調整する処理手順を示すフローチャートである。
【発明を実施するための形態】
【００１９】
＜実施の形態＞
以下、図面を参照しながら本発明の実施の形態を説明する。なお、以下に説明する実施の形態は一つの例示であり、本発明の範囲において、種々の形態をとり得る。
【００２０】
図１乃至図３に示すように、空間高調整構造体１は、室内空間がビル等の事務室として使用されることを前提として構築された事務室モードの実験施設である。この空間高調整構造体１は、基礎２、支柱３、４、固定屋根５、６、昇降装置７、８、固定スラブ１０、可動スラブ２０、可動屋根３０、および、２つの仕切壁４０、５０を備えている。
【００２１】
ここで、図中、矢印ａ１、ｂ１方向および矢印ａ２、ｂ２方向を地面に対して水平な水平方向とし、支柱３を中心として矢印ａ１方向を外側、矢印ｂ１方向を内側と定義すると共に、支柱４を中心として矢印ａ２方向を外側、矢印ｂ２方向を内側と定義する。また、図中、矢印ｃｄ方向を地面に対して鉛直な鉛直方向とし、矢印ｃ方向を空側、矢印ｄ方向を地面側と定義する。さらに、図中、矢印ｅｆ方向を空間高調整構造体１の奥行方向とし、矢印ｅ方向を前側、矢印ｆ方向を後側と定義する。
【００２２】
基礎２は、地盤に定着された状態で、この空間高調整構造体１全体を支えるものであり、平面視長方形のコンクリートにより構成されている。この基礎２には、断熱材が取り付けられている。この断熱材は、固定スラブ側の断熱材となる。
【００２３】
支柱３、４は、基礎２の左右両側にアンカーボルト等により固定された空側（矢印ｃ方向）に延びる鉄骨製の部材であり、スーパートラス構造を有している。支柱３の外側（矢印ａ１方向）には、コンクリートの外壁３ａが取り付けられ、支柱３の内側（矢印ｂ１方向）には、コンクリートの内壁３ｂが取り付けられ、支柱３の空側（矢印ｃ方向）にはコンクリートの天井壁３ｃが取り付けられている。さらに、この支柱３の前側（矢印ｅ方向）には、前壁３ｄが取り付けられ、支柱３の後側（矢印ｆ方向）には、後壁３ｅが取り付けられている。これらの外壁３ａ、内壁３ｂ、天井壁３ｃ、前壁３ｄ、後壁３ｅには、それぞれ断熱材が取り付けられている。基礎２の上面、支柱３の外壁３ａ、内壁３ｂ、天井壁３ｃ、前壁３ｄ、および、後壁３ｅにより囲まれた空間は、左側面付室ＳＲ１となる。
【００２４】
同様に、支柱４の外側（矢印ａ２方向）には、コンクリートの外壁４ａが取り付けられ、支柱４の内側（矢印ｂ２方向）には、コンクリートの内壁４ｂが取り付けられ、支柱４の空側（矢印ｃ方向）にはコンクリートの天井壁４ｃが取り付けられている。さらに、この支柱４の前側（矢印ｅ方向）には、前壁４ｄが取り付けられ、支柱４の後側（矢印ｆ方向）には、後壁４ｅが取り付けられている。これらの外壁４ａ、内壁４ｂ、天井壁４ｃ、前壁４ｄ、後壁４ｅには、それぞれ断熱材が取り付けられている。基礎２の上面、支柱４の外壁４ａ、内壁４ｂ、天井壁４ｃ、前壁４ｄ、および、後壁４ｅにより囲まれた空間は、右側面付室ＳＲ２となる。
【００２５】
固定屋根５、６は、支柱３、４の天井壁３ｃ、４ｃの上に固定された平坦な鉄骨製の屋根であり、支柱３、４の内側（矢印ｂ１、ｂ２方向）へ僅かに突出している。固定屋根５の内側（矢印ｂ１方向）の端部上面には、昇降装置７が取り付けられている。同様に、固定屋根６の内側（矢印ｂ２方向）の端部上面には、昇降装置８が取り付けられている。
【００２６】
昇降装置７、８は、同一構造の電動ジャッキシステムである。昇降装置７、８は、ジャッキ本体７ａ、８ａと、当該ジャッキ本体７ａ、８ａに結合されたステップロッド７ｂ、８ｂと、当該ステップロッド７ｂ、８ｂの先端に取り付けられた係合部７ｃ、８ｃとを備えている。ジャッキ本体７ａ、８ａは、当該ジャッキ本体７ａ、８ａのピストンロッドを油圧により鉛直方向（矢印ｃｄ方向）へ移動させ、ステップロッド７ｂ、８ｂを空側（矢印ｃ方向）へ吊り上げ、または、地面側（矢印ｄ方向）へ吊り下げることにより、係合部７ｃ、８ｃにより係合された昇降対象物である可動スラブ２０をリフトアップまたはリフトダウンする。
【００２７】
固定スラブ１０は、平面視長方形状の所定厚さを有する鉄筋コンクリートまたは鉄骨コンクリートのスラブである。ちなみに、固定スラブ１０は、実験条件に応じてスラブ厚さを任意に設定してもよい。固定スラブ１０は、基礎２の上面から空側（矢印ｃ方向）へ所定の距離だけ離間した高さ位置において、支柱３の内壁３ｂおよび支柱４の内壁４ｂの双方に固定されている。具体的には、固定スラブ１０は、外側（矢印ａ１方向）の一端面が内壁３ｂと一体に固定され、外側（矢印ａ２方向）の他端面が内壁４ｂと一体に固定されている。また、固定スラブ１０は、基礎２の上面に固定された鉄骨製の支持脚４１、５１の上端面によって支持されている。なお、床部材としての固定スラブ１０は、その上面が床として機能する。
【００２８】
固定スラブ１０の下面と基礎２の上面とのほぼ中間位置には、左側下方天井部ＬＣ１が配置されている。左側下方天井部ＬＣ１は、固定スラブ１０の下部空間を鉛直方向（矢印ｃｄ方向）に二分するように内壁３ｂおよび支持脚４１に取り付けられている。同様に、固定スラブ１０の下面と基礎２の上面とのほぼ中間位置には、右側下方天井部ＬＣ２が配置されている。右側下方天井部ＬＣ２は、左側下方天井部ＬＣ１と同一の高さ位置であって、固定スラブ１０の下部空間を鉛直方向（矢印ｃｄ方向）に二分するように内壁４ｂおよび支持脚５１に取り付けられている。
【００２９】
この場合、基礎２の上面と左側下方天井部ＬＣ１、右側下方天井部ＬＣ２の下面との間の空間は、左側下部付室ＬＲ１、右側下部付室ＬＲ２となる。左側下方天井部ＬＣ１、右側下方天井部ＬＣ２の上面と固定スラブ１０の下面との間の空間は、左側下部天井裏ＬＣＢ１、右側下部天井裏ＬＣＢ２となる。
【００３０】
可動スラブ２０は、固定スラブ１０よりも空側（矢印ｃ方向）に対向配置され、当該固定スラブ１０と同一形状および同一厚さを有する鉄筋コンクリートまたは鉄骨コンクリートのスラブである。可動スラブ２０は、固定スラブ１０と対向配置されたままの状態で、鉛直方向（矢印ｃｄ方向）へ移動可能な状態で昇降装置７、８に支持されている。
【００３１】
可動スラブ２０は、その下面において昇降装置７、８の係合部７ｃ、８ｃに係合されており、昇降装置７、８のジャッキ本体７ａ、８ａによるステップロッド７ｂ、８ｂを介したリフトアップ動作、または、リフトダウン動作に応じて鉛直方向（矢印ｃｄ方向）に自在に移動するように構成されている。
【００３２】
この可動スラブ２０は、鉛直方向（矢印ｃｄ方向）へ移動自在な構成であるため、固定スラブ１０のように支柱３の内壁３ｂおよび支柱４の内壁４ｂに固定されていない。ただし、内壁３ｂ、４ｂ間の水平方向（矢印ａｂ方向）の間隔に対して、可動スラブ２０の水平方向（矢印ａｂ方向）の長さはほぼ等しく設定されている。なお、可動スラブ２０は、固定スラブ１０と同一厚さを有する構成としているが、これに限るものではなく、移動時の昇降装置７、８の負荷を軽減するために、固定スラブ１０より薄くてもよく、或いは昇降装置７、８の負荷を考慮する必要が無い場合には固定スラブ１０より厚くてもよい。また、可動スラブ２０においても、実験条件に応じてスラブ厚さを任意に設定してもよい。
【００３３】
可動屋根３０は、可動スラブ２０よりも空側（矢印ｃ方向）に配置された鋼板等からなる屋根である。可動屋根３０は、可動スラブ２０の上面に固定された鉄骨製の支持脚４２、５２の上端面と一体に取り付けられており、可動スラブ２０と対向配置されたままの状態で可動スラブ２０の移動と共に鉛直方向（矢印ｃｄ方向）へ移動可能に構成されている。可動屋根３０は、可動スラブ２０と同一形状であるが、可動スラブ２０よりも薄い厚さを有し、可動スラブ２０から所定距離だけ離れた高さ位置に配置されている。なお、可動屋根３０および支持脚４２、５２にも、断熱材が取り付けられている。可動屋根３０の断熱材は、可動スラブ側の断熱材となる。
【００３４】
仕切壁４０、５０は、固定スラブ１０と可動スラブ２０との間の内側空間を鉛直方向（矢印ｃｄ方向）に沿って複数に仕切るために設けられた例えば軽鉄下地石膏ボード等からなる薄板状の壁である。仕切壁４０、５０は、可動スラブ２０の高さ方向の位置が決定されると、その高さ位置に合わせたサイズのものが用意されて後から取り付け固定される。仕切壁４０、５０は、仕切壁４０と内壁３ｂとの間の距離と、仕切壁５０と内壁４ｂとの間の距離とが同じになるように水平方向に一定の間隔を空けて対向配置されている。なお、仕切壁４０および仕切壁５０に対しても、それぞれ断熱材が取り付けられている。
【００３５】
固定スラブ１０および可動スラブ２０の前側（矢印ｅ方向）の端部には、当該固定スラブ１０および当該可動スラブ２０に予め取り付けられている支持材（図示しない）を介して実際の建物と同等の内壁仕様の前壁８０が取り付けられている。前壁８０は、外側（矢印ａ１、ａ２方向）の両端面が内壁３ｂおよび内壁４ｂに固定されている。なお、前壁８０には、断熱材が取り付けられている。
【００３６】
固定スラブ１０および可動スラブ２０の後側（矢印ｆ方向）の端部には、当該固定スラブ１０および当該可動スラブ２０に予め取り付けられている支持材（図示しない）を介して実験用の窓枠体（以下、「窓試験体」ともいう。）６０、７０が取り付けられている。窓試験体６０、７０は、窓および枠が一体形成されたものである。窓試験体６０は、内壁３ｂおよび仕切壁４０に固定されている。窓試験体７０は、内壁４ｂおよび仕切壁５０に固定されている。
【００３７】
固定スラブ１０と可動スラブ２０との間であって、可動スラブ２０寄りの所定の高さ位置には天井部材としての左側上方天井部ＵＣ１が配置されている。この左側上方天井部ＵＣ１は、内壁３ｂおよび仕切壁４０に取り付けられている。同様に、固定スラブ１０と可動スラブ２０との間であって、左側上方天井部ＵＣ１と同一の高さ位置には、天井部材としての右側上方天井部ＵＣ２が配置されている。この右側上方天井部ＵＣ２は、内壁４ｂおよび仕切壁５０に取り付けられている。
【００３８】
この場合、左側上方天井部ＵＣ１の上面、内壁３ｂ、仕切壁４０、および、可動スラブ２０の下面によって囲まれた空間は、左側上部天井裏ＵＣＢ１となる。同様に、右側上方天井部ＵＣ２の上面、内壁４ｂ、仕切壁５０、および、可動スラブ２０の下面によって囲まれた空間は、右側上部天井裏ＵＣＢ２となる。
【００３９】
可動スラブ２０の上面、内壁３ｂ、仕切壁４０、および、可動屋根３０の下面によって囲まれた空間は、左側上部付室ＵＲ１となる。同様に、可動スラブ２０の上面、内壁４ｂ、仕切壁５０、および、可動屋根３０の下面によって囲まれた空間は、右側上部付室ＵＲ２となる。
【００４０】
内壁３ｂおよび仕切壁４０で仕切られた空間のうち、固定スラブ１０の上面から左側上方天井部ＵＣ１の下面までの閉じた閉空間が事務室として想定される左側居室ＭＲ１となり、内壁４ｂおよび仕切壁５０で仕切られた空間のうち、固定スラブ１０の上面から右側上方天井部ＵＣ２の下面までの閉じた閉空間が事務室として想定される右側居室ＭＲ２となる。
【００４１】
固定スラブ１０および可動スラブ２０の後側（矢印ｆ方向）の端部であり、仕切壁４０、５０に挟まれた部分には、固定スラブ１０および当該可動スラブ２０の支持材（図示しない）を介してカーテンウォール等の後壁４５が取り付けられている。
【００４２】
前壁８０と後壁４５との間であって、前側（矢印ｅ方向）寄りの位置には、前壁８０および後壁４５と対向するように仕切壁４６が水平方向（矢印ａｂ方向）に沿って配置されている。仕切壁４６は、外側（矢印ａ１方向）の端面および内側（矢印ａ２方向）の端面が仕切壁４０および仕切壁５０に固定されている。
【００４３】
前壁８０と仕切壁４６との間であって、仕切壁４０、５０に挟まれた空間は、左側居室ＭＲ１および右側居室ＭＲ２に対する前室ＦＲとして用いられる。また、仕切壁４６と後壁４５との間であって、仕切壁４０、５０に挟まれた空間は、後述する機械室ＭａＲの空調機９１〜９４の制御および、空調機９１〜９４の電力使用量を計測するための各種計測器が設置された計測室ＭｅＲとして用いられる。作業者は、この電力使用量に基づいて省エネ性能等を比較することができる。
【００４４】
さらに、内壁３ｂおよび仕切壁４０で仕切られた空間のうち、左側下方天井部ＬＣ１の上面から可動スラブ２０の下面までを左側実験空間ＪＳ１とし、内壁４ｂおよび仕切壁５０で仕切られた空間のうち、右側下方天井部ＬＣ２の上面から可動スラブ２０の下面までを右側実験空間ＪＳ２とする。
【００４５】
すなわち、左側実験空間ＪＳ１は、左側下部天井裏ＬＣＢ１、固定スラブ１０の上面および下面、左側居室ＭＲ１、左側上部天井裏ＵＣＢ１、および、可動スラブ２０の下面を含む空間であり、かつ、地面側（矢印ｄ方向）の左側下部付室ＬＲ１および空側（矢印ｃ方向）の左側上部付室ＵＲ１に挟まれた空間である。
【００４６】
したがって、左側実験空間ＪＳ１は、固定スラブ１０および可動スラブ２０の熱的影響を受ける実験環境として構築される。左側下部付室ＬＲ１および左側上部付室ＵＲ１は、基礎２および可動屋根３０の蓄熱体に蓄熱された熱影響を左側実験空間ＪＳ１に直接及ぼさないようにするための熱的バッファ空間として機能する。
【００４７】
同様に、右側実験空間ＪＳ２は、右側下部天井裏ＬＣＢ２、固定スラブ１０の上面および下面、右側居室ＭＲ２、右側上部天井裏ＵＣＢ２、および、可動スラブ２０の下面を含む空間であり、かつ、地面側（矢印ｄ方向）の右側下部付室ＬＲ２および空側（矢印ｃ方向）の右側上部付室ＵＲ２に挟まれた空間である。
【００４８】
したがって、右側実験空間ＪＳ２は、左側実験空間ＪＳ１と同様に、固定スラブ１０および可動スラブ２０の熱的影響を受ける実験環境として構築される。右側下部付室ＬＲ２および右側上部付室ＵＲ２は、基礎２および可動屋根３０の蓄熱体に蓄熱された熱影響を右側実験空間ＪＳ２に直接及ぼさないようにするための熱的バッファ空間として機能する。
【００４９】
ちなみに、図２に示すように、断熱材が取り付けられた支柱３、４、仕切壁４０、５０、後壁４５、仕切壁４６、前壁８０は、当該断熱材により断熱境界が形成されており、左側面付室ＳＲ１、右側面付室ＳＲ２、前室ＦＲ、および、計測室ＭｅＲについても、左側実験空間ＪＳ１および右側実験空間ＪＳ２に対する付室として用いられると同時に熱的バッファ空間として機能する。
【００５０】
前壁８０の前側（矢印ｅ方向）には、移動式の機械室ＭａＲが当該前壁８０に対して着脱自在に取り付けられている。機械室ＭａＲ（図３）は、外枠９０、その外枠９０の内部に複数設けられた空調機９１〜９４、および、外枠９０の外側下面に取り付けられた移動用の車輪９６を備えている。
【００５１】
機械室ＭａＲは、空調機９１〜９４からの冷風または温風を左側上部天井裏ＵＣＢ１および右側上部天井裏ＵＣＢ２から左側居室ＭＲ１および右側居室ＭＲ２へ供給する。なお、機械室ＭａＲの外枠９０には、断熱材が取り付けられており、この機械室ＭａＲにおいても、左側実験空間ＪＳ１および右側実験空間ＪＳ２に対する付室として用いられると同時に熱的バッファ空間として機能する。
【００５２】
窓試験体６０の後側（矢印ｆ方向）には、移動式の人工気象器ＡＷＭが着脱自在に取り付けられている。人工気象器ＡＷＭは、外枠１１１、その外枠１１１の上部に設けられた空調機１１２、複数の照明機器からなる人工太陽装置１１３、および、外枠１１１の外側下面に取り付けられた移動用の車輪１１５を備えている。空調機１１２は、寒冷地や極寒地のような低温環作り出すために用いられ、人工太陽装置１１３は、極暑地のような高温環境を作り出すために用いられる。但し、人工気象器ＡＷＭは、オプションであり、必要に応じて取り付けられるものである。
【００５３】
また、窓試験体６０の後側（矢印ｆ方向）には、人工気象器ＡＷＭを取り付ける代わりに、オプションとして、窓試験体６０を覆うように着脱式のルーバー１２０を取り付けることが可能である。ルーバー１２０は、外部からの光を選択的に遮断したり、通過させるために用いられる。
【００５４】
さらに、窓試験体６０の後側（矢印ｆ方向）には、人工気象器ＡＷＭを取り付ける代わりに、オプションとして、窓試験体６０を覆うように着脱式のカーテンウォール１３０を取り付けることが可能である。これにより、窓試験体６０の存在しない環境を構築することが可能となる。
【００５５】
このような構成の空間高調整構造体１は、実際の建物と同様にコンクリートからなる固定スラブ１０および可動スラブ２０の熱的影響を及ぼす事務室モードの左側実験空間ＪＳ１および右側実験空間ＪＳ２を構築した上で、左側実験空間ＪＳ１および右側実験空間ＪＳ２の測定条件を実験目的に合わせて個別に変えながら同時比較実験を行うことができる。
【００５６】
この場合、空間高調整構造体１は、左側実験空間ＪＳ１および右側実験空間ＪＳ２を用いて同時比較実験を行なうことにより、１つの実験空間しか持たない従来の実験施設に比べて実験速度を２倍以上速くすることができる。
【００５７】
そして、比較実験終了後、事務室モードの左側居室ＭＲ１および右側居室ＭＲ２から、クリーンルームモードに対応した天井高さのクリーンルームを構築する必要が生じた場合、空間高調整構造体１は、昇降装置７、８に対する作業者の操作に応じて可動スラブ２０を可動屋根３０と共に空側（矢印ｃ方向）へ移動させる。
【００５８】
可動スラブ２０の空側（矢印ｃ方向）への移動に伴い、事務室モードの仕切壁４０、５０に変えて、固定スラブ１０と可動スラブ２０との間に新たな高さに対応した仕切壁３４０、３５０を取り付ける。そして、固定スラブ１０と可動スラブ２０との間に、所望の天井高さの左側クリーンルームＣＲ１、右側クリーンルームＣＲ２、所望の高さの左サブファブＳＦ１、右サブファブＳＦ２、および、所望の高さの左プレナム室ＰＮ１、右プレナム室ＰＮ２となるように、左側床２１０、右側床２２０を構築すると共に、左側床２１０、右側床２２０よりも空側（矢印ｃ方向）寄りの所定の高さ位置に左側天井２３０、右側天井２４０を構築する。
【００５９】
これにより、空間高調整構造体１は、所望の空間高さに対応する左側クリーンルームＣＲ１および右側クリーンルームＣＲ２が形成されたクリーンルームモードの空間高調整構造体２００へその形態を動的に変化させることができる。この空間高調整構造体２００では、空間高調整構造体１の左側実験空間ＪＳ１および右側実験空間ＪＳ２が、左サブファブＳＦ１、左側クリーンルームＣＲ１、左プレナム室ＰＮ１からなる左側実験空間ＪＳ３、右サブファブＳＦ２、右側クリーンルームＣＲ２、右プレナム室ＰＮ２からなる右側実験空間ＪＳ４に変化する。
【００６０】
この場合、昇降装置７、８により可動スラブ２０を移動し、それに伴い、仕切壁４０、５０を仕切壁３４０、３５０に付け替えたり、固定スラブ１０および可動スラブ２０に予め固定されている支持材を利用してカーテンウォールを付け替えるだけで、空間高調整構造体１から空間高調整構造体２００へその形態を容易に変化させることができる。かくして、空間高調整構造体１は、従来のように、実験施設を解体して建設し直す場合に比べると、その工数を大幅に削減できるので、短期間のうちに数多くの比較実験を行い、技術開発のスピードアップを図ることができる。
【００６１】
また、空間高調整構造体１、２００は、蓄熱体であるコンクリートの熱的影響を考慮した左側実験空間ＪＳ１および右側実験空間ＪＳ２、左側クリーンルームＣＲ１および右側クリーンルームＣＲ２のそれぞれの周囲を付室（熱的バッファ空間）により囲っているため、左右で日照条件が異なるような場合であっても、外乱の影響を低減し、かつ、互いに同一の実験環境を構築した上で同時比較実験を行うことができる。
【００６２】
さらに、空間高調整構造体１、２００は、人工気象器ＡＷＭを窓試験体６０に取り付け、人工気象器ＡＷＭを窓試験体７０に取り付けない場合、左側実験空間ＪＳ１において人工気象条件を生成し、右側実験空間ＪＳ２において自然気象条件を生成することができるので、人工気象および自然気象という異なる環境下における比較実験を行うこともできる。
【００６３】
このように空間高調整構造体１、２００は、当該空間高調整構造体１、２００が固定式メインモジュールとして用いられ、人工気象器ＡＷＭを移動式分割モジュールとして用いることができるので、多種多様な実験に対して簡易かつ容易に対応することができ、大幅にコスト削減することもできる。
【００６４】
＜他の実施の形態＞
なお、上述した実施の形態においては、空間高調整構造体１の左側実験空間ＪＳ１および右側実験空間ＪＳ２を用いて空調機９１〜９４の電力使用量を計測室ＭｅＲの計測器により計測し、省エネ性能等の同時比較実験を行うようにした場合について述べた。しかしながら、本発明はこれに限らず、快適性、温度特性等のその他種々の性能の比較実験を行うようにしてもよい。また、左側実験空間ＪＳ１および右側実験空間ＪＳ２は、固定スラブ１０、可動スラブ２０、左側下部天井裏ＬＣＢ１、右側下部天井裏ＬＣＢ２、左側上部天井裏ＵＣＢ１、および、右側上部天井裏ＵＣＢ２を含む空間であるため、基礎２および可動屋根３０の躯体蓄熱や、スラブ埋設放射空調の同時比較実験を行ってもよい。
【００６５】
また、上述した実施の形態においては、作業者が昇降装置７、８を直接操作して可動スラブ２０を鉛直方向（矢印ｃｄ方向）に可動させるようにした場合について述べたが、本発明はこれに限らず、作業者からの指示に応じて制御装置が自動的に可動スラブ２０を鉛直方向（矢印ｃｄ方向）に可動させるようにしてもよい。
【００６６】
この場合、図５に示すように、昇降装置７、８を介して可動スラブ２０を制御することにより空間高調整方法を実現する空間高調整制御装置５００が空間高調整構造体１とは別個設けられればよい。空間高調整制御装置５００は、キーボード等の入力部５０１およびＣＰＵ(Central Processing Unit)等からなるコンピュータ構成の制御部５０２を備えている。
【００６７】
図６に示すように、空間高調整制御装置５００では、固定スラブ１０から離れる可動スラブ２０までの距離を表す数値を入力データとして入力部５０１が受け付けたり、事務室モードおよびクリーンルームモードにおいて固定スラブ１０から可動スラブ２０までの距離が予め設定されている場合には事務室モードまたはクリーンルームモードの何れかの選択結果を入力データとして入力部５０１が受け付ける（ステップＳＰ１）。そして、制御部５０２は、入力部５０１が受け付けた入力データを読み取ってその内容を認識する（ステップＳＰ２）。その後、制御部５０２は、その認識結果に応じて、昇降装置７、８に対して可動スラブ２０を鉛直方向（矢印ｃｄ方向）へ可動させる際の可動量を決定し、その可動量の分だけ可動スラブ２０を可動させる（ステップＳＰ３）。これにより空間高調整制御装置５００は、作業者からの入力データに従って可動スラブ２０を可動させ、固定スラブ１０から可動スラブ２０までの空間高さを自動的に調整することができる。
【産業上の利用可能性】
【００６８】
本発明においては、空間高調整構造体１および２００を用いて空調使用時の省エネ性能等を比較する比較実験を行うようにした。しかしながら、これに限るものではなく、ローコストクリーンルームと一般クリーンルームとの清浄度比較実験、高効率除染システムと一般除染システムとの除染性能比較実験、光導入システムと一般採光システムとの光環境性・省エネ性の比較実験、放射空調と一般空調との快適性・省エネ性の比較実験、躯体蓄熱空調と一般空調との快適性・省エネ性の比較実験、照度に応じて照明を制御する照度照明制御方式と一般照明制御方式との光、熱、省エネ性の比較実験、ルーバーを用いた採光方式と、一般窓を用いた採光方式との外部光環境性能の比較実験等に空間高調整構造体１および２００を用いることも可能である。
【符号の説明】
【００６９】
１、２００  空間高調整構造体
２  基礎
３、４  支柱
３ａ、４ａ  外壁
３ｂ、４ｂ  内壁（壁）
５、６  固定屋根
７、８  昇降装置
１０  固定スラブ
２０  可動スラブ
３０  可動屋根
４０、５０、４６、３４０、３５０  仕切壁
４１、４２、５１、５２  支持脚
４５  後壁
６０、７０  窓試験体
８０  前壁
９０、１１１  外枠
９１〜９４、１１２  空調機
９６、１１５  車輪
１１３  人工太陽装置
１２０  ルーバー
１３０  カーテンウォール
５００  空間高調整制御装置
５０１  入力部
５０２  制御部
ＵＣ１  左側上方天井部
ＵＣ２  右側上方天井部
ＵＣＢ１  左側上部天井裏
ＵＣＢ２  右側上部天井裏
ＵＲ１  左側上部付室
ＵＲ２  右側上部付室
ＭＲ１  左側居室
ＭＲ２  右側居室
【図１】
0006710980.tif 000002
【図２】
0006710980.tif 000003
【図３】
0006710980.tif 000004
【図４】
0006710980.tif 000005
【図５】
0006710980.tif 000006
【図６】
0006710980.tif 000007